(57)【要約】【課題】  型枠工事を大幅に省略し、しかも高い施工精度を確保することができる段差付きスラブおよびその施工方法を提供する。【解決手段】  本発明に係る段差付きスラブは、一対の中空ＰＣ板２、３の端部同士を上下方向に重ね合わせて段差部１を形成し、中空ＰＣ板２、３上にスラブ筋１１および上端筋９を配筋してコンクリート１０を打設したものである。中空ＰＣ板２、３の端部（段差部１側）には、両端に拡径部を有する定着頭部付き鉄筋５が中空部２ａ、３ａ内にそれぞれ挿入され、上下２段に配設された定着頭部付き鉄筋５、５同士は、中空部２ａ、３ａを上下方向に連通し、上方に開放するスリット部４において、せん断補強筋７によって拘束されている。また、中空ＰＣ板２、３の短辺方向に配される上端筋９、９に巻かれるコ字状のあばら筋６が、下側の定着頭部付き鉄筋５に連結されている。スリット部４は、モルタルなどの充填材によって充填される。【選択図】      図１
2006307435.tif 000002
【特許請求の範囲】
【請求項１】
一方の端部に定着頭部付き鉄筋がそれぞれ配設された一対の中空プレキャストコンクリート板の当該端部同士が上下方向に重ね合わされて段差部が形成されていることを特徴とする段差付きスラブ。
【請求項２】
前記段差部における上段側と下段側の前記定着頭部付き鉄筋が、せん断補強筋によって拘束されていることを特徴とする請求項１に記載の段差付きスラブ。
【請求項３】
一対の中空プレキャストコンクリート板の端部同士を上下方向に重ね合わせて、上下２段に配設された中空部を有する段差部を形成し、前記中空部を上下方向に連通するスリット部を当該段差部に設ける第一の工程と、
前記各中空部に定着頭部付き鉄筋を挿入して、前記スリット部に定着頭部付き鉄筋を上下２段に配設した後、当該スリット部に充填材を充填する第二の工程と、
前記一対の中空プレキャストコンクリート板上に配筋してコンクリートを打設する第三の工程とを備えることを特徴とするスラブの施工方法。
【請求項４】
前記第二の工程において、
上段側と下段側の前記定着頭部付き鉄筋を、せん断補強筋によって拘束することを特徴とする請求項３に記載の段差付きスラブの施工方法。
【発明の詳細な説明】
【技術分野】
【０００１】
本発明は、段差付きスラブおよびその施工方法に関する。
【背景技術】
【０００２】
従来、段差付きスラブは、上下方向に段差を設けた二枚の穴明きプレキャストコンクリート板の段差部にフック付き鉄筋を配した後、当該段差部に現場打ちコンクリートを打設することにより形成している。即ち、段差部は現場施工によって形成されていた。しかし、従来の段差付きスラブは、段差部の配筋が煩雑であり、施工に手間を要するものであった。
そこで、本発明者は、特許文献１において、段差部に定着頭部付き鉄筋を用いることにより、簡潔な配筋構造とし、施工性が良く工期短縮を図れる段差付きスラブを考案した。
【特許文献１】特開２００２−２９４９１６号公報  （第２−３頁、第１−３図）
【発明の開示】
【発明が解決しようとする課題】
【０００３】
しかしながら、特許文献１に記載された段差付きスラブも、従来の段差付きスラブと同様、段差部を形成するための型枠工事が必要であった。
【０００４】
本発明は、特許文献１に記載された段差付きスラブをさらに改良し、型枠工事を大幅に省略し、しかも高い施工精度を確保することができる段差付きスラブおよびその施工方法を提供することを目的とする。
【課題を解決するための手段】
【０００５】
上記目的を達成するため、本発明に係る段差付きスラブは、一方の端部に定着頭部付き鉄筋がそれぞれ配設された一対の中空プレキャストコンクリート板の当該端部同士が上下方向に重ね合わされて段差部が形成されていることを特徴とする。
ここで、定着頭部付き鉄筋とは、鉄筋の定着強度を増大させるため、端部に拡径部が形成された鉄筋のことである。
本発明では、一方の端部に定着頭部付き鉄筋がそれぞれ配設された一対の中空プレキャストコンクリート板の当該端部同士を上下方向に重ね合わせることにより段差部が形成されているため、配筋工事および型枠工事が大幅に省略され施工が効率化される。また、配筋工事および型枠工事の減少に伴い、高い施工精度を確保することが可能となる。
【０００６】
また、本発明に係る段差付きスラブでは、前記段差部における上段側と下段側の前記定着頭部付き鉄筋が、せん断補強筋によって拘束されていてもよい。
本発明では、段差部における上段側と下段側の定着頭部付き鉄筋を、せん断補強筋で拘束しているので、段差部の強度を増大させることができる。
【０００７】
また、本発明に係る段差付きスラブの施工方法は、一対の中空プレキャストコンクリート板の端部同士を上下方向に重ね合わせて、上下２段に配設された中空部を有する段差部を形成し、前記中空部を上下方向に連通するスリット部を当該段差部に設ける第一の工程と、前記各中空部に定着頭部付き鉄筋を挿入して、前記スリット部に定着頭部付き鉄筋を上下２段に配設した後、当該スリット部に充填材を充填する第二の工程と、前記一対の中空プレキャストコンクリート板上に配筋してコンクリートを打設する第三の工程とを備えることを特徴とする。
本発明では、段差部に配設された上下２段の中空部を連通するスリット部を設け、当該スリット部に定着頭部付き鉄筋を上下２段に配設して充填材を充填するので、施工作業が大幅に合理化され、工期および工費の縮減を図ることができる。
【０００８】
また、本発明に係る段差付きスラブの施工方法では、前記第二の工程において、上段側と下段側の前記定着頭部付き鉄筋を、せん断補強筋によって拘束してもよい。
【発明の効果】
【０００９】
本発明では、一方の端部に定着頭部付き鉄筋がそれぞれ配設された一対の中空プレキャストコンクリート板の当該端部同士を上下方向に重ね合わせることにより段差部が形成されているので、配筋工事および型枠工事を大幅に省略して施工の効率化を図ることができる。また、配筋工事および型枠工事の減少に伴い、高い施工精度を確保することが可能となる。
【発明を実施するための最良の形態】
【００１０】
以下、本発明に係る段差付きスラブについて図面に基づいて説明する。
図１は、（ａ）は本発明に係る段差付きスラブの側断面図であり、（ｂ）はそのＡ−Ａ矢視断面図である。
本発明に係る段差付きスラブは、一対の中空プレキャストコンクリート板（以下、中空ＰＣ板と呼ぶ。）２、３の端部同士を上下方向に重ね合わせて段差部１を形成し、中空ＰＣ板２、３上にスラブ筋１１を配筋するとともに段差部１上に上端筋９を配筋してコンクリート１０を打設したものである。
【００１１】
中空ＰＣ板２、３は、扇形や楕円形などの断面を有する中空部２ａ、３ａがＰＣ板内に複数形成されたものであり、通常、中空部２ａ、３ａはＰＣ板の長辺方向に延在し、短辺方向に並設されている。また、中空部２ａ、３ａと中空部２ａ、３ａとの間にはＰＣ鋼線１５が配設されている。そのため、軽量、高強度、高耐久性という特長を有している。
【００１２】
上段側の中空ＰＣ板２に形成された中空部２ａと下段側の中空ＰＣ板３に形成された中空部３ａは上下方向に整列した状態に配置されており、段差部１では、中空部２ａ、３ａを上下方向に連通し、上方に開放するスリット部４が形成されている。
中空ＰＣ板２、３の端部（段差部１側）には、両端に拡径部を有する定着頭部付き鉄筋５が中空部２ａ、３ａ内にそれぞれ挿入されており、上下２段に配設された定着頭部付き鉄筋５、５同士は、スリット部４において、せん断補強筋７によって拘束されている。
また、段差部１において中空ＰＣ板２、３の短辺方向に配される上端筋９、９に巻かれるコ字状のあばら筋６が、下側の定着頭部付き鉄筋５に連結されている。本発明に係る段差付きスラブでは、段差部１の下端筋を省略し、定着頭部付き鉄筋５で応力を処理する。
なお、定着頭部付き鉄筋５、せん断補強筋７、およびあばら筋６は、各中空部２ａ、３ａに配設されている。
【００１３】
スリット部４および中空部２ａ、３ａの一部（定着頭部付き鉄筋５が配されている部分）には、モルタルなどの充填材が充填される。この際、充填材が中空部２ａ、３ａの奥まで流れ込まないように、中空部２ａ、３ａ内には仕切板１２を設置しておく。
また、上段側の中空ＰＣ板２と下段側の中空ＰＣ板３との間には、１０〜２０ｍｍ程度の間隙Ｄを設けることとし、当該間隙Ｄに充填材を充填して中空ＰＣ板２、３同士の接着性を向上させるものとする。
【００１４】
ここで、上下２段に配設された定着頭部付き鉄筋５、５の重なり長さと、定着頭部付き鉄筋５から重なり長さを引いた長さ（重なっていない部分の長さ）は、同じ長さＬ２とし、定着頭部付き鉄筋５の直径の３５倍以上とする。また、定着頭部付き鉄筋５には、Ｄ１６〜２５の異形鉄筋を使用する。
【００１５】
なお、段差部１には、下段側の中空ＰＣ板３上に配筋されるスラブ筋１１用のアンカー筋８が配設されており、上段側の中空ＰＣ板２の端面（段差部１側）から側方に延出している。
【００１６】
次に、本発明に係る段差付きスラブの施工方法について説明する。
本発明に係る段差付きスラブを施工する場合、工場で製作したハーフプレキャスト状の段差付きスラブを梁間に架設し、その上に配筋してコンクリートを打設するという、工場と現場の二段階工程となる。
【００１７】
図２および図３に、工場における段差付きスラブの製作手順を説明するための図を示す。
先ず、上段側の中空ＰＣ板２に形成された中空部２ａと下段側の中空ＰＣ板３に形成された中空部３ａが上下方向に整列するように、一対の中空ＰＣ板２、３の端部同士を、上下方向に１０〜２０ｍｍ程度の間隙Ｄをあけた状態で重ね合わせて段差部１を形成する（図２参照）。
そして、中空ＰＣ板２、３の端部を一部カットして、上下２段に配設された中空部２ａ、３ａを上下方向に連通し、上方に開放するスリット部４を当該段差部１に形成する。
なお、上段側の中空ＰＣ板２と下段側の中空ＰＣ板３にそれぞれスリット部４を形成した後で、一対の中空ＰＣ板２、３の端部同士を上下方向に重ね合わせてもよい。
【００１８】
次いで、各中空部２ａ、３ａに定着頭部付き鉄筋５、５を挿入して、スリット部４に定着頭部付き鉄筋５、５を上下２段に配設し、上段側と下段側の定着頭部付き鉄筋５、５を、せん断補強筋７によって拘束するとともに、コ字状のあばら筋６を、下側の定着頭部付き鉄筋５に連結する。
また、中空部２ａ、３ａ内には仕切板１２を設置しておくとともに、上段側の中空ＰＣ板２の端面（段差部１側）から突出するようにアンカー筋８を配設しておく。
【００１９】
次に、上段側の中空ＰＣ板２と下段側の中空ＰＣ板３の端面（段差部１側）にそれぞれ型枠１３、１３を取り付けて中空部２ａ、３ａを封止した後、スリット部４および定着頭部付き鉄筋５が配されている中空部２ａ、３ａの一部に、モルタルなどの充填材を充填する。この際、間隙Ｄにも充填材を充填する。
【００２０】
図４は、梁間に段差付きスラブを架設した状態を示す概略図であり、図５は、現場における段差付きスラブの施工手順を説明するための図である。
工場で製作された段差付きスラブＳは、建設現場に搬入され、梁Ｂ、Ｂ間に架設される。梁Ｂの上部には、切欠部Ｂａが形成されており、段差付きスラブＳは切欠部Ｂａ上に載置する。なお、段差付きスラブＳを切欠部Ｂａ上に載置せず、支保工（図示省略）で支持してもよい。
【００２１】
次いで、中空ＰＣ板２、３上にスラブ筋１１をシングル配筋するとともに段差部１上のあばら筋６に交差させて上端筋９を配筋する。そして、段差部１の上部側面に型枠１４を設置した後、中空ＰＣ板２、３上にコンクリート１０を打設する。
【００２２】
本実施形態では、一対の中空ＰＣ板２、３の端部同士を上下方向に重ね合わせて段差部１を形成し、当該段差部１に配設された上下２段の中空部２ａ、３ａを連通するスリット部４を設け、当該スリット部４に定着頭部付き鉄筋５、５を上下２段に配設して充填材を充填するので、配筋工事および型枠工事が大幅に省略され施工を効率化することができる。また、配筋工事および型枠工事の減少に伴い、高い施工精度を確保することが可能となる。
【００２３】
以上、本発明に係る段差付きスラブについて説明したが、本発明は上記の実施形態に限定されるものではなく、その趣旨を逸脱しない範囲で適宜変更可能である。例えば、上記の実施形態では、段差部における上段側と下段側の定着頭部付き鉄筋を、せん断補強筋で拘束しているが、強度的に問題がなければ、せん断補強筋を省略してもよい。要は、本発明において所期の機能が得られればよいのである。
【図面の簡単な説明】
【００２４】
【図１】（ａ）は本発明に係る段差付きスラブの側断面図であり、（ｂ）はそのＡ−Ａ矢視断面図である。
【図２】工場における段差付きスラブの製作手順を説明するための図であり、（ａ）は段差付きスラブの側断面図、（ｂ）はＢ−Ｂ矢視断面図である。
【図３】工場における段差付きスラブの製作手順を説明するための図であり、（ａ）は段差付きスラブの側断面図、（ｂ）はＣ−Ｃ矢視断面図である。
【図４】梁間に段差付きスラブを架設した状態を示す概略図である。
【図５】現場における段差付きスラブの施工手順を説明するための段差付きスラブの側断面図である。
【符号の説明】
【００２５】
１  段差部
２、３  中空ＰＣ板
２ａ、３ａ  中空部
４  スリット部
５  定着頭部付き鉄筋
６  あばら筋
７  せん断補強筋
８  アンカー筋
９  上端筋
１０  コンクリート
１１  スラブ筋
１２  仕切板
１３、１４  型枠
１５  ＰＣ鋼線
Ｄ  間隙
Ｂ  梁
Ｂａ  切欠部
Ｓ  段差付きスラブ
【図１】
2006307435.tif 000003
【図２】
2006307435.tif 000004
【図３】
2006307435.tif 000005
【図４】
2006307435.tif 000006
【図５】
2006307435.tif 000007